【手続補正書】
【提出日】平成17年10月19日(2005.10.19)
【手続補正１】
【補正対象書類名】明細書
【補正対象項目名】発明の名称
【補正方法】変更
【補正の内容】
【発明の名称】音声合成方法及び装置
【手続補正２】
【補正対象書類名】明細書
【補正対象項目名】特許請求の範囲
【補正方法】変更
【補正の内容】
【特許請求の範囲】
【請求項１】  入力テキストデータを解析してその解析結果に基づいてピッチパターンを生成し、生成したピッチパターンに基づいて音声を合成する音声合成方法において、
人間が発声した音声を分析して得られるピッチパターンを所定の関数に基づいたモデルによって近似し、近似に用いたモデルパラメータ、もしくは当該モデルパラメータより生成される近似されたピッチパターンから、所定の単位で切り出したユニットパターンをそのまま、もしくはクラスタリングによって得られる代表ユニットパターンの形で複数記憶しておき、
前記入力テキストデータの解析結果に基づいて、前記記憶しておいた複数のユニットパターンの中から使用するユニットパターンを前記所定の単位毎に選択し、この所定の単位毎に選択したユニットパターンに基づいてピッチパターンを生成することを特徴とする音声合成方法。
【請求項２】  入力テキストデータを解析してその解析結果に基づいてピッチパターンを生成し、生成したピッチパターンに基づいて音声を合成する音声合成方法において、
人間が発声した音声を分析して得られるピッチパターンを所定の関数に基づいたモデルによって近似し、近似に用いたモデルパラメータ、もしくは当該モデルパラメータより生成される近似されたピッチパターンから、所定の単位で複数のユニットパターンを切り出し、この切り出した複数のユニットパターンをその形状と形状のピッチバイアス値に分離することで、前記人間が発声した音声の内容を表わすテキストデータを解析した結果に基づいて、ユニットパターンの形状を選択するための第１の規則とユニットパターンの形状のピッチバイアス値を推定するための第２の規則とを予め作成しておく一方、
前記近似されたピッチパターンから所定の単位で切り出したユニットパターンの形状をそのまま、もしくはクラスタリングによって得られる代表ユニットパターン形状の形で複数記憶しておき、
前記第１の規則を用いることにより、前記入力テキストデータの解析結果に基づいて、使用するユニットパターンの形状を前記記憶しておいた複数のユニットパターン形状の中から前記所定の単位毎に選択すると共に、前記第２の規則を用いることにより、前記入力テキストデータの解析結果に基づいて、使用するユニットパターン形状のピッチバイアス値を前記所定の単位毎に推定し、
前記選択したユニットパターン形状と前記推定したピッチバイアス値とに基づいて前記所定の単位毎にユニットパターンを生成し、この所定の単位毎に生成したユニットパターンに基づいてピッチパターンを生成することを特徴とする音声合成方法。
【請求項３】  前記近似されたピッチパターンから所定の単位で切り出したユニットパターンのピッチ周波数最大値を、対応する前記ユニットパターン形状のピッチバイアス値とすることを特徴とする請求項２記載の音声合成方法。
【請求項４】  前記入力テキストデータの解析結果に基づくユニットパターンの選択では、合成すべきモーラ数またはアクセント型に最も近いと判定される発声がされた人間の音声のピッチパターンを前記モデルで近似したピッチパターンから切り出したユニットパターンを選択し、この選択したユニットパターンをそのままもしくは変形して用いることを特徴とする請求項１記載の音声合成方法。
【請求項５】  前記入力テキストデータの解析結果に基づくユニットパターン形状の選択では、合成すべきモーラ数またはアクセント型に最も近いと判定される発声がされた人間の音声のピッチパターンを前記モデルで近似したピッチパターンから切り出されたユニットパターンの形状を選択し、この選択したユニットパターン形状をそのままもしくは変形して用いることを特徴とする請求項２記載の音声合成方法。
【請求項６】  前記入力テキストデータの解析結果に基づくユニットパターンの選択に際し、前記所定の単位毎にユニットパターンの候補を複数選択し、この選択した所定の単位毎のユニットパターン候補の全ての組み合わせについて、前記入力テキストデータを合成するための接続部分の歪みに対して所定の評価を行って、この評価が最も良好となるユニットパターン候補の組み合わせを選択し、この選択した組み合わせの各ユニットパターンを接続してピッチパターンを生成することを特徴とする請求項１記載の音声合成方法。
【請求項７】  前記入力テキストデータの解析結果に基づくユニットパターン形状の選択に際し、前記所定の単位毎にユニットパターン形状の候補を複数選択すると共にピッチバイアス値の候補を複数推定し、
前記選択した複数のユニットパターン形状候補及び推定した複数のピッチバイアス候補を個別もしくは同時に、前記入力テキストデータを合成するための接続に対して所定の評価を行って、この評価が最も良好となるユニットパターン形状とピッチバイアス値を前記所定の単位毎に１つ決定し、
前記所定の単位毎に決定したユニットパターン形状とピッチバイアス値に基づいて前記所定の単位毎にユニットパターンを生成し、この前記所定の単位毎に生成したユニットパターンに基づいてピッチパターンを生成することを特徴とする請求項２記載の音声合成方法。
【請求項８】  入力テキストデータを解析してテキスト解析結果を生成するテキスト解析手段と、
人間が発声した音声を分析して得られるピッチパターンを近似する所定の関数に基づいたモデルパラメータ、もしくは当該モデルパラメータより生成される近似されたピッチパターンから、所定の単位で切り出されたユニットパターンがそのまま、もしくはクラスタリングによって得られる代表ユニットパターンの形で複数記憶されたユニットパターン記憶手段と、
前記テキスト解析手段のテキスト解析結果に基づいて前記ユニットパターン記憶手段からユニットパターンを前記所定の単位毎に選択し、この所定の単位毎に選択したユニットパターンに基づいてピッチパターンを生成するピッチパターン生成手段と、
前記ピッチパターン生成手段によって生成されたピッチパターンに基づいて音声を合成する音声合成手段とを具備することを特徴とする音声合成装置。
【請求項９】  入力テキストデータを解析してテキスト解析結果を生成するテキスト解析手段と、
人間が発声した音声を分析して得られるピッチパターンを近似する所定の関数に基づいたモデルパラメータ、もしくは当該モデルパラメータより生成される近似されたピッチパターンから、所定の単位で切り出されたユニットパターンの形状がそのまま、もしくはクラスタリングによって得られる代表ユニットパターン形状の形で複数記憶されたユニットパターン形状記憶手段と、
前記入力テキストデータの解析結果に基づいてピッチパターンを生成するピッチパターン生成手段と、
前記ピッチパターン生成手段によって生成されたピッチパターンに基づいて音声を合成する音声合成手段とを具備し、
前記ピッチパターン生成手段は、
人間が発声した音声を分析して得られるピッチパターンを近似する所定の関数に基づいたモデルパラメータ、もしくは当該モデルパラメータより生成される近似されたピッチパターンから、所定の単位で複数のユニットパターンを切り出して、この複数のユニットパターンをその形状と形状のピッチバイアス値とに分離することで、前記人間が発声した音声の内容を表わすテキストデータを解析した結果に基づいて予め作成された、ユニットパターンの形状を選択するための第１の規則及びユニットパターンの形状のピッチバイアス値を推定するための第２の規則のうちの前記第１の規則を用いることにより、前記入力テキストデータの解析結果に基づいて、使用するユニットパターンの形状を前記記憶手段から前記所定の単位毎に選択するユニットパターン形状選択手段と、
前記第２の規則を用いることにより、前記入力テキストデータの解析結果に基づいて、使用するユニットパターンの形状のピッチバイアス値を前記所定の単位毎に推定するピッチバイアス値推定手段とを備え、
前記ユニットパターン形状選択手段により選択されたユニットパターンの形状と前記ピッチバイアス値推定手段により推定されたピッチバイアス値に基づいて前記所定の単位毎にユニットパターンを生成し、この所定の単位毎に生成したユニットパターンに基づいてピッチパターンを生成することを特徴とする音声合成装置。
【手続補正３】
【補正対象書類名】明細書
【補正対象項目名】０００１
【補正方法】変更
【補正の内容】
【０００１】
【発明の属する技術分野】
本発明は、入力テキストデータの解析結果から、合成すべき音声の韻律を生成するのに好適な音声合成方法及び装置に関する。
【手続補正４】
【補正対象書類名】明細書
【補正対象項目名】００１９
【補正方法】変更
【補正の内容】
【００１９】
本発明は上記事情を考慮してなされたものでその目的は、少数のユニットパターンを用意するだけで、有声音韻と無声音韻の並びによらずに、全ての音韻の並びに適用でき、様々な文を対象とする音声合成が、ユニットパターンの無声区間と有声区間の境界におけるピッチの乱れに起因した音声合成時の揺れやピッチ制御の悪影響を生じることなく行える音声合成方法及び装置を提供することにある。
【手続補正５】
【補正対象書類名】明細書
【補正対象項目名】００２０
【補正方法】変更
【補正の内容】
【００２０】
本発明の他の目的は、少数のユニットパターンでありながら、様々な合成内容に対応可能な音声合成方法及び装置を提供することにある。